(57)【要約】【課題】中、高層建築物の各戸の玄関先に設けられた門柱に対して表札やインターホン等の玄関備品を簡単に取付けることができるようにしたエントランスユニットを提供することである。【解決手段】玄関先の床面から立ち上がる門柱３と天井面４間に組込まれる角筒状ケース本体１１の上部に取付部材１６を高さ調整自在に設け、その取付部材１６を高さ調整し、天井面４に当接させた状態で取付部材１６を天井面４にビス止めし、かつケース本体１１の底パネル１３を門柱３の上面にビス止めしてケース本体１１を固定する。ケース本体１１の正面パネル１２ａを透光性を有する板体で形成し、その正面パネル１２ａに透光性を有する表札２３およびインターホン２４等の玄関備品を取付ける。ケース本体１１の内部に照明灯２２を設け、その照明灯２２を点灯し、正面パネル１２ａを透過する光によって周辺を照明する。【選択図】図１
2005290747.tif 000002
【特許請求の範囲】
【請求項１】
玄関先の床面から立ち上がる門柱と天井面間に組込まれる角筒状のケース本体の上部に、前記天井面に取付けられる取付部材を高さ調整自在に設け、前記ケース本体の少なくとも正面パネルを透光性を有する板体で形成し、その正面パネルに透光性を有する表札やインターホン等の玄関備品を取付け、ケース本体の内部には照明灯を設けたエントランスユニット。
【発明の詳細な説明】
【技術分野】
【０００１】
この発明は、玄関先に設けられるエントランスユニットに関するものである。
【背景技術】
【０００２】
近年、マンション等の中、高層建築物においては、各戸に一戸建の高級な感じを与えるために、玄関先に共用廊下から入り込む玄関先広場を設け、その玄関先広場と共用廊下の境界部に門柱を建て、その門柱によって門扉を開閉自在に支持するようにしている。
【０００３】
玄関先に門扉を有する上記のような中、高層建築物においては、普通、門柱に表札や室番札、新聞受け、インターホン、照明灯の玄関備品を取付けるようにしている。
【発明の開示】
【発明が解決しようとする課題】
【０００４】
ところで、従来は、門柱に対する各種の玄関備品を個別に取付けるようにしているため、非常に手間がかかっていた。
【０００５】
ここで、各種の玄関備品を一枚のパネルで支持したエントランスユニットが提案されているが、そのようなエントランスユニットを門柱に取付けることによって上記のような不都合を解消することができるが、門柱は高さが低いため、インターホンの使用が困難となり、また、照明灯が外部に露出するため、通行を阻害する等の問題が発生する。
【０００６】
この発明の課題は、各戸の玄関先に設けられた門柱に対する玄関備品の取付けの容易化を図ることができると共に、安定した取付け状態を得ることができるようにしたエントランスユニットを提供することである。
【課題を解決するための手段】
【０００７】
上記の課題を解決するために、この発明においては、玄関先の床面から立ち上がる門柱と天井面間に組込まれる角筒状のケース本体の上部に、前記天井面に取付けられる取付部材を高さ調整自在に設け、前記ケース本体の少なくとも正面パネルを透光性を有する板体で形成し、その正面パネルに透光性を有する表札やインターホン等の玄関備品を取付け、ケース本体の内部には照明灯を設けた構成を採用したのである。
【０００８】
上記の構成から成るエントランスユニットは、門柱上にケース本体を載置し、取付部材の高さ調整により、その取付部材を天井面に当接し、門柱の上面に対するケース本体の底パネルの取付けと、天井面に対する取付部材の取付けによってケース本体の安定化を図り、照明灯の点灯により、正面パネルを透過する光によって表札および玄関周辺を照明する。
【発明の効果】
【０００９】
上記の構成から成るエントランスユニットにおいては、ケース本体によって各種の玄関備品が支持されているため、門柱上に対するケース本体の取付けによって玄関備品の取付けが完了し、各種の玄関備品を個別に取付ける場合に比較して、玄関備品をきわめて簡単に能率よく取付けることができる。
【００１０】
また、ケース本体の底パネルを門柱の上面に取付け、高さ調整自在の取付部材を天井面に取付けるため、きわめて安定した取付状態を得ることができる。
【００１１】
さらに、照明灯が内装されたケース本体を門柱上に取付ける構成であるため、通行が阻害されるという不都合の発生はなく、しかも、インターホンは門柱上に配置されるため、使い勝手がよく、さらに、正面パネルが透光性を有するため、内部の照明灯の点灯によって表札や玄関周辺を確実に照明することができる。
【発明を実施するための最良の形態】
【００１２】
以下、この発明の実施の形態を図面に基づいて説明する。図１に示すように、共用廊下の壁１には、各戸の玄関に対する出入口２が設けられ、その出入口２の一側に床面から立ち上がる門柱３が設けられている。
【００１３】
門柱３と出入口２の天井面４間にエントランスユニット１０が設けられている。エントランスユニット１０は角筒状のケース本体１１を有している。
【００１４】
図３乃至図５に示すように、ケース本体１１は、角形の胴体１２と、その胴体１２の下端に設けられた底パネル１３と、上記胴体１２の上端に設けられた天パネル１４とから成り、上記天パネル１４には開口１５が形成され、その開口１５内に下端が開口する角筒状の取付部材１６がスライド自在に挿入される。
【００１５】
取付部材１６の対向する側板１７には上下方向に延びる複数の長孔１８が形成され、一方、天パネル１４の下面には支持片１９が設けられ、上記各長孔１８から支持片１９にねじ係合されるビス２０の締付けによって取付部材１６が固定され、上記ビス２０を弛めることによって取付部材１６を高さ調整し得るようになっている。
【００１６】
胴体１２は、正面パネル１２ａと、その両側に一体に設けられた一対の側面パネル１２ｂと、その一対の側面パネル１２ｂの後側縁間に設けられた背面パネル１２ｃを有し、上記正面パネル１２ａと一対の側面パネル１２ｂはアクリル樹脂等の透光性を有する材料から成っている。
【００１７】
背面パネル１２ｃは、図５に示す蝶番２１によって開閉自在に支持された蓋体１２ｄを有し、その蓋体１２ｄによって直管型のけい光灯から成る照明灯２２が支持されている。Ｍは蓋体１２ｄを閉鎖状態に保持するマグネットを示す。
【００１８】
図１および図２に示すように、正面パネル１２ａには透光性を有する表札２３と、その下方にインターホン２４とが取付けられている。また、正面パネル１２ａには上下方向に延びる支持バー２５が取付けられ、その支持バー２５の前記門柱３の前面上部に臨む下端部に新聞受け２６が取付けられている。
【００１９】
実施の形態で示すエントランスユニットは上記の構造から成り、そのエントランスユニットの取付けに際しては、門柱３上にケース本体１１を載置して、底パネル１３を門柱３に固定する。その固定に際して、図３に示すように、門柱３の上面にアンカ３０を予め埋設しておき、底パネル１３上からそのアンカ３０にねじ込まれるビス３１の締付けによって底パネル１３を固定する。
【００２０】
底パネル１３の固定後、取付部材１６を高さ調整し、その取付部材１６の上面を天井面４に当接させて取付部材１６を固定する。その固定に際しては、天井面４にアンカ３２を予め埋設しておき、取付部材１６の天板下方からそのアンカ３２にねじ込むビス３３の締付けによって取付部材１６を固定する。
【００２１】
上記のように、門柱３の上面に底パネル１３を固定し、天井面４に取付部材１６を取付けることによって、ケース本体１１にきわめて安定した取付け状態を得ることができると共に、正面パネル１２ａに支持されたインターホン２４を使い勝手のよい適切な高さに保持することができる。
【００２２】
また、取付部材１６は高さ調整自在であるため、門柱３と天井面４間の間隔にバラツキがある場合でも、そのバラツキが取付部材１６の高さ調整幅内にあれば、ケース本体１１を安定よく取付けることができる。
【００２３】
エントランスユニットの取付状態において、周囲が暗くなった場合には照明灯２２を点灯する。このとき、正面パネル１２ａおよび一対の側面パネル１２ｂは透光性を有するため、上記照明灯２２の点灯によって、その光は正面パネル１２ａおよび一対の側面パネル１２ｂを透過し、周辺を照らすことができる。また、表札２３も透光性を有するため、照明灯２２からの光によって、表札２３の読み取りを可能とすることができる。
【図面の簡単な説明】
【００２４】
【図１】この発明に係るエントランスユニットの実施の形態を示す正面図
【図２】図１の側面図
【図３】図１のIII−III線に沿った断面図
【図４】図３のIV−IV線に沿った断面図
【図５】図４のＶ−Ｖ線に沿った断面図
【符号の説明】
【００２５】
３      門柱
４      天井面
１１    ケース本体
１２ａ  正面パネル
１６    取付部材
２２    照明灯
２３    表札
２４    インターホン
【図１】
2005290747.tif 000003
【図２】
2005290747.tif 000004
【図３】
2005290747.tif 000005
【図４】
2005290747.tif 000006
【図５】
2005290747.tif 000007